【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
１つまたは複数のプロセッサにより、コンテンツ・アイテム要求をリソースから受信するステップであって、前記リソースはリソース・スポンサに関連付けられるステップと、
前記１つまたは複数のプロセッサにより、スパム要求をフィルタし、前記コンテンツ・アイテム要求が正当であるかどうかを判定するステップを含めて、前記コンテンツ・アイテム要求を検証するステップと、
無効な要求に対して、前記無効な要求がスパムであるかどうかを判定し、スパムである場合には、前記コンテンツ・アイテム要求に応答してコンテンツ・アイテムを提供しないステップと、
無効な要求に対して、前記１つまたは複数のプロセッサにより、前記無効な要求が不適切にフォーマットされているかどうかを判定し、不適切にフォーマットされている場合には、前記リソース・スポンサにより過去に提供されたパラメータ記述に少なくとも部分的に基づいてコンテンツ・アイテムを選択するステップを含めて、前記コンテンツ・アイテム要求に応答してコンテンツ・アイテムを提供するステップと、
無効な要求に対して、前記１つまたは複数のプロセッサにより、前記無効な要求が、広告エンティティの階層において欠落している広告エンティティに対する要求であるかどうかを判定し、そうである場合には、前記リソース・スポンサに関連付けられた前記階層における別の広告エンティティに基づいてコンテンツ・アイテムを選択するステップを含めて、前記コンテンツ・アイテム要求に応答してコンテンツ・アイテムを提供するステップと、
前記１つまたは複数のプロセッサにより、無効な要求に関連する情報をユーザ・インタフェースで前記リソース・スポンサに提供するステップであって、無効な要求に関連して提供された前記情報は、前記無効な要求がスパムであるかどうか、不適切にフォーマットされているかどうか、または、広告エンティティの階層において欠落している広告エンティティに対する要求であるかどうかを含み、前記ユーザ・インタフェースは、同種の後続の要求が受信の際に正当性確認されるように無効なコンテンツ・アイテム要求を前記リソース・スポンサが受理し正当性確認できるようにするためのツールを備えるステップと、
を含む、方法。
【請求項２】
前記リソースはウェブページであり前記リソース・スポンサは前記ウェブページのパブリッシャである、請求項１に記載の方法。
【請求項３】
前記コンテンツ・アイテム要求を検証するステップは、前記コンテンツ・アイテム要求に関連付けられたタグを検査するステップを含めて、前記要求に関連付けられたコンテンツ・アイテム・スロットと関連付けられた詳細を検証するステップを含む、請求項１に記載の方法。
【請求項４】
スパム要求をフィルタするステップは、ブラックリストに基づいて要求をフィルタするステップを含む、請求項１に記載の方法。
【請求項５】
前記コンテンツ・アイテム要求が正当であるかどうかを判定するステップは、前記コンテンツ・アイテム要求が、正当であるコンテンツ・アイテム・スロット定義を含むかどうかを判定するステップを含む、請求項１に記載の方法。
【請求項６】
前記コンテンツ・アイテム・スロット定義が正当であるかどうかを判定するステップは、前記コンテンツ・アイテム要求に関連付けられたタグの中のタームを評価するステップを含む、請求項５に記載の方法。
【請求項７】
前記コンテンツ・アイテム要求が正当であるかどうかを判定するステップは、コンテンツ・アイテム要求が無効であるかどうかを判定するステップを含み、無効な要求とは、訂正可能な１つまたは複数の誤字を含むタグを含む要求の形態のものでありうる、請求項１に記載の方法。
【請求項８】
前記コンテンツ・アイテム要求が正当であるかどうかを判定するステップは、前記コンテンツ・アイテム要求に関連付けられる広告エンティティを決定するステップを含み、前記方法は、前記コンテンツ・アイテム要求が無効であり無効な広告エンティティ仕様を含むかどうかを判定するステップをさらに含む、請求項１に記載の方法。
【請求項９】
前記広告エンティティは、どのようにコンテンツを前記リソースで表示すべきかを定義するパラメータを含むコンテンツ・アイテム・スロット定義である、請求項８に記載の方法。
【請求項１０】
前記広告エンティティが無効であるかどうかを判定するステップはさらに、一般的に無効であるかまたは前記リソース・スポンサに対して特に無効である前記コンテンツ・アイテム・スロット定義の１つまたは複数の特徴を決定するステップを含む、請求項９に記載の方法。
【請求項１１】
無効な要求に対して、前記コンテンツ・アイテム要求に応答してコンテンツ・アイテムを提供するステップはさらに、前記リソース・スポンサと関連付けられた少なくとも１つの広告エンティティを特定するステップと、特定された広告エンティティと適合するコンテンツ・アイテムを提供するステップとを含む、請求項１に記載の方法。
【請求項１２】
前記特定された広告エンティティは、前記リソース・スポンサによって規定されるコンテンツ・スロットを定義する、請求項１１に記載の方法。
【請求項１３】
前記提供するステップはさらに、受信した無効なコンテンツ・アイテム要求に少なくとも部分的に基づいて正当な広告エンティティに対する提案を提供するステップを含む、請求項１に記載の方法。
【請求項１４】
前記無効なコンテンツ・アイテム要求は無効なコンテンツ・アイテム・スロット定義を含む、請求項１３に記載の方法。
【請求項１５】
前記提供するステップはさらに、無効なコンテンツ・アイテム要求を記録するステップを含む、請求項１４に記載の方法。
【請求項１６】
無効なコンテンツ・アイテム要求を特定するステップと、前記無効なコンテンツ・アイテム要求に対する処置を自動的に決定するステップとをさらに含み、無効なコンテンツ・アイテム要求に関連する情報を提供する方法は、修復された無効なコンテンツ・アイテムを提供するステップを含む、請求項１５に記載の方法。
【請求項１７】
情報を提供するステップは、ユーザが無効なコンテンツ・アイテム要求を修復できるようにするツールを提供するステップを含む、請求項１に記載の方法。
【請求項１８】
情報を提供するステップは、提案された正当な広告エンティティをリソース・スポンサが受理できるようにするツールを提供するステップを含む、請求項１３に記載の方法。
【請求項１９】
１つまたは複数のプロセッサにより、コンテンツ・アイテム要求を受信するステップであって、前記コンテンツ・アイテム要求に応答して受信した任意のコンテンツ・アイテムはリソースに表示され、前記リソースは関連するリソース・スポンサを有するステップと、
前記１つまたは複数のプロセッサにより、前記コンテンツ・アイテム要求が正当であるか無効であるかを判定するステップと、
前記１つまたは複数のプロセッサにより、正当な要求に対して、前記コンテンツ・アイテム要求に応答してコンテンツを提供するステップと、
前記１つまたは複数のプロセッサにより、無効な要求に対して、前記無効な要求がスパムであるかどうかを判定し、スパムである場合には、前記コンテンツ・アイテム要求に応答してコンテンツ・アイテムを提供しないステップと、
前記１つまたは複数のプロセッサにより、無効な要求に対して、前記無効な要求が不適切にフォーマットされているかどうかを判定し、不適切にフォーマットされている場合には、前記リソース・スポンサにより過去に提供されたパラメータ記述に少なくとも部分的に基づいてコンテンツ・アイテムを選択するステップを含めて、前記コンテンツ・アイテム要求に応答してコンテンツ・アイテムを提供するステップと、
前記１つまたは複数のプロセッサにより、無効な要求に対して、前記無効な要求が、広告エンティティの階層において欠落している広告エンティティに対する要求であるかどうかを判定し、そうである場合には、前記リソース・スポンサに関連付けられた前記階層における別の広告エンティティに基づいてコンテンツ・アイテムを選択するステップを含めて、前記コンテンツ・アイテム要求に応答してコンテンツ・アイテムを提供するステップと、
を含む、方法。
【請求項２０】
前記広告エンティティはコンテンツ・アイテム・スロット定義である、請求項１３に記載の方法。
【請求項２１】
実行されたときに、プロセッサに、
コンテンツ・アイテム要求を、リソース・スポンサに関連付けられるリソースから受信させ、
スパム要求をフィルタし、前記コンテンツ・アイテム要求が正当であるかどうかを判定することを含めて、前記コンテンツ・アイテム要求を検証させ、
無効な要求に対して、前記無効な要求がスパムであるかどうかを判定し、スパムである場合には、前記コンテンツ・アイテム要求に応答してコンテンツ・アイテムを提供しないようにさせ、
無効な要求に対して、前記無効な要求が不適切にフォーマットされているかどうかを判定し、不適切にフォーマットされている場合には、前記リソース・スポンサにより過去に提供されたパラメータ記述に少なくとも部分的に基づいてコンテンツ・アイテムを選択することを含めて、前記コンテンツ・アイテム要求に応答してコンテンツ・アイテムを提供させ、
無効な要求に対して、前記無効な要求が、広告エンティティの階層において欠落している広告エンティティに対する要求であるかどうかを判定し、そうである場合には、前記リソース・スポンサに関連付けられた前記階層における別の広告エンティティに基づいてコンテンツ・アイテムを選択することを含めて、前記コンテンツ・アイテム要求に応答してコンテンツ・アイテムを提供させ、
無効な要求に関連する情報をユーザ・インタフェースで前記リソース・スポンサに提供させる、
命令を含む、非一時的コンピュータ・プログラム製品であって、
無効な要求に関連して提供された前記情報は、前記無効な要求がスパムであるかどうか、不適切にフォーマットされているかどうか、または、広告エンティティの階層において欠落している広告エンティティに対する要求であるかどうかを含み、前記ユーザ・インタフェースは、同種の後続の要求が受信の際に正当性確認されるように無効なコンテンツ・アイテム要求を前記リソース・スポンサが受理し正当性確認できるようにするためのツールを備える、非一時的コンピュータ・プログラム製品。
【請求項２２】
前記広告エンティティはコンテンツ・アイテム・スロット定義である、請求項２１に記載の非一時的コンピュータ・プログラム製品。
【請求項２３】
情報を提供するステップは、正当な広告エンティティに関する提案を資産スポンサに提供するステップを含む、請求項２１に記載の非一時的コンピュータ・プログラム製品。
【請求項２４】
情報を提供するステップは、受信した無効な要求の数のカウントを含む、受信した前記無効なコンテンツ・アイテム要求を提供するステップを含む、請求項２１に記載の非一時的コンピュータ・プログラム製品。
【請求項２５】
情報を提供するステップは、無効なコンテンツ・アイテム要求を特定するステップと、前記無効なコンテンツ・アイテム要求を修正するための処置を決定するステップと、前記無効なコンテンツ・アイテム要求を自動的に修正するステップと、修正された前記無効なコンテンツ・アイテム要求を提供するステップとを含む、請求項２１に記載の非一時的コンピュータ・プログラム製品。
【請求項２６】
情報を提供するステップは、正当であるとして１つまたは複数の提供されたコンテンツ・アイテム要求を受理するためのツールを提供するステップを含む、請求項２１に記載の非一時的コンピュータ・プログラム製品。
【請求項２７】
情報を提供するステップは、前記無効なコンテンツ・アイテム要求のうち１つまたは複数を修復するための情報を提供するステップを含む、請求項２１に記載の非一時的コンピュータ・プログラム製品。
【請求項２８】
プロセッサと、
命令を含むメモリと、
要求ハンドラ、検証エンジン、および提案エンジンを有し、要求の受信に応答してコンテンツ・アイテムを提供するコンテンツ管理システムを備えるシステムであって、
前記要求ハンドラは、コンテンツ・アイテム要求を受信し、受信した前記コンテンツ・アイテム要求に応答してコンテンツ・アイテムを提供することができ、
前記検証エンジンは、
スパム要求をフィルタし、前記コンテンツ・アイテム要求が正当であるかどうかを判定することを含めて、前記コンテンツ・アイテム要求を検証し、
無効な要求に対して、前記無効な要求がスパムであるかどうかを判定し、スパムである場合には、前記コンテンツ・アイテム要求に応答してコンテンツ・アイテムを提供せず、
無効な要求に対して、前記無効な要求が不適切にフォーマットされているかどうかを判定し、不適切にフォーマットされている場合には、リソース・スポンサにより過去に提供されたパラメータ記述に少なくとも部分的に基づいてコンテンツ・アイテムを選択することを含めて、前記コンテンツ・アイテム要求に応答してコンテンツ・アイテムを提供し、
無効な要求に対して、前記無効な要求が、広告エンティティの階層において欠落している広告エンティティに対する要求であるかどうかを判定し、そうである場合には、前記リソース・スポンサに関連付けられた前記階層における別の広告エンティティに基づいてコンテンツ・アイテムを選択することを含めて、前記コンテンツ・アイテム要求に応答してコンテンツ・アイテムを提供する、
ことができ、
前記提案エンジンは、無効な要求に関連する情報をユーザ・インタフェースで前記リソース・スポンサに提供することができ、無効な要求に関連して提供された前記情報は、前記無効な要求がスパムであるかどうか、不適切にフォーマットされているかどうか、または、広告エンティティの階層において欠落している広告エンティティに対する要求であるかどうかを含み、前記ユーザ・インタフェースは、同種の後続の要求が受信の際に正当性確認されるように無効なコンテンツ・アイテム要求を前記リソース・スポンサが受理し正当性確認できるようにするためのツールを備える、
システム。